(57)【特許請求の範囲】
【請求項１】
複数の光ファイバ素線と、
前記光ファイバ素線の外周に設けられ、前記光ファイバ素線同士を併設して連結する樹脂部材と、
を具備する光ファイバテープ心線であって、
前記光ファイバ素線は、全て同一の色であり、
前記光ファイバテープ心線の幅方向の中心を中心線とした場合において、
前記樹脂部材の態様が、前記中心線の両側で異なり、
隣り合う前記光ファイバ素線同士は、前記光ファイバ素線の長手方向に対して前記樹脂部材によって間欠的に接着され、
それぞれの隣り合う前記光ファイバ素線同士を接合する前記樹脂部材の長さまたはピッチが、それぞれの前記光ファイバ素線の間同士で同一ではなく、前記中心線の両側で異なることを特徴とする光ファイバテープ心線。
【請求項２】
少なくとも、併設された前記光ファイバ素線の、一方の端から１本目と２本目を接合する前記樹脂部材の態様が、他の隣り合う前記光ファイバ素線同士を接合する前記樹脂部材の態様とは異なることを特徴とする請求項１記載の光ファイバテープ心線。
【請求項３】
請求項１から請求項２のいずれかに記載の光ファイバテープ心線が、複数収容されることを特徴とする光ファイバケーブル。
【発明の詳細な説明】
【技術分野】
【０００１】
本発明は、屋内外に敷設した際に目立ちにくく、光ファイバ素線の識別が容易な光ファイバテープ心線等に関するものである。
【背景技術】
【０００２】
通常、光ファイバケーブルを屋内に引き込む際には、インドアケーブルが使用される。インドアケーブルを室内の光回線終端装置に接続し、ＬＡＮケーブル等によって各光利用機器に接続される。
【０００３】
このような光ファイバケーブルとしては、例えば、テンションメンバと、テンションメンバ間に設けられた光ファイバ心線と、これらを一括して包む外被とを有し、外被の外周に長手方向に沿って１箇所以上のケーブルシースノッチが設けられた光ファイバケーブルがある（特許文献１）。
【先行技術文献】
【特許文献】
【０００４】
【特許文献１】特開２００８−６５０３８号公報
【発明の概要】
【発明が解決しようとする課題】
【０００５】
しかし、インドアケーブルを敷設すると、インドアケーブルが目立ち、美観を損ねる恐れがある。これに対し、光ファイバ心線を直接敷設する方法が提案されている。
【０００６】
例えば、複数の光ファイバ素線からなる光ファイバテープ心線を敷設する場合、従来のインドアケーブルと比較して目立ちにくいという利点がある。一方、光ファイバテープ心線は、複数の光ファイバ素線から構成されるため、通常、各光ファイバ素線の識別のため、光ファイバ素線ごとに着色がなされて使用される。したがって、光ファイバ素線の着色が目立つ恐れがある。しかし、このような着色を行わないと、光ファイバ素線の識別が困難となる。
【０００７】
本発明は、このような問題に鑑みてなされたもので、敷設した際に美観を損なわず、光ファイバ素線の識別も容易な光ファイバテープ心線等を提供することを目的とする。
【課題を解決するための手段】
【０００８】
前述した目的を達するために第１の発明は、複数の光ファイバ素線と、前記光ファイバ素線の外周に設けられ、前記光ファイバ素線同士を併設して連結する樹脂部材と、を具備する光ファイバテープ心線であって、前記光ファイバ素線は、全て同一の色であり、前記光ファイバテープ心線の幅方向の中心を中心線とした場合において、前記樹脂部材の態様が、前記中心線の両側で異なり、隣り合う前記光ファイバ素線同士は、前記光ファイバ素線の長手方向に対して前記樹脂部材によって間欠的に接着され、それぞれの隣り合う前記光ファイバ素線同士を接合する前記樹脂部材の長さまたはピッチが、それぞれの前記光ファイバ素線の間同士で同一ではなく、前記中心線の両側で異なることを特徴とする光ファイバテープ心線である。
【００１０】
少なくとも、併設された前記光ファイバ素線の、一方の端から１本目と２本目を接合する前記樹脂部材の態様が、他の隣り合う前記光ファイバ素線同士を接合する前記樹脂部材の態様とは異なることが望ましい。
【００１２】
第１の発明によれば、光ファイバ素線がすべて同一の色であるため、例えば、壁紙と同一色としたり、透明色とすることができる。このため、光ファイバテープ心線を敷設した際に、目立ちにくい。また、光ファイバテープ心線の幅方向の中心を中心線とした場合において、隣り合う光ファイバ素線同士を接合する樹脂部材の態様を、中心線の両側で異なるようにすることで、光ファイバ素線を識別することができる。
【００１３】
また、光ファイバ素線同士が間欠的に接着されることで、例えば角部に敷設した際に、光ファイバテープ心線を容易に曲げることができる。また、間欠的に配置される樹脂部材の態様を変えることで、光ファイバ素線の識別が容易である。
【００１４】
また、併設された光ファイバ素線の、一方の端から１本目と２本目を接合する樹脂部材の態様を、他の隣り合う光ファイバ素線同士を接合する樹脂部材の態様と変えることで、光ファイバ素線の識別がさらに容易である。
【００１５】
特に、隣り合う光ファイバ素線同士を接合する樹脂部材の長さまたはピッチを変えることで、光ファイバ素線の識別がさらに容易である。
【００１６】
第２の発明は、第１の発明にかかる光ファイバテープ心線が、複数収容されることを特徴とする光ファイバケーブルである。
【００１７】
第２の発明によれば、内部の光ファイバテープ心線を目立つことなく敷設ができるとともに、光ファイバ素線の識別も容易である。
【発明の効果】
【００２０】
本発明によれば、敷設した際に美観を損なわず、光ファイバ素線の識別も容易な光ファイバテープ心線等を提供することができる。
【図面の簡単な説明】
【００２１】
【図１】光ファイバテープ心線３の斜視図。
【図２】（ａ）は光ファイバテープ心線３の平面図、（ｂ）は光ファイバテープ心線３ａの平面図。
【図３】光ファイバテープ心線３ｂの平面図。
【図４】光ファイバテープ心線３ｃの断面図。
【図５】光ファイバケーブル１の断面図。
【発明を実施するための形態】
【００２２】
以下、図面を参照しながら、本発明の実施形態について説明する。図１は、光ファイバテープ心線３を示す斜視図である。また、図２（ａ）は、光ファイバテープ心線３を示す平面図である。光ファイバテープ心線３は、複数の光ファイバ素線１３ａ、１３ｂ、１３ｃ、１３ｄが並列に接着されて構成される。なお、以下の説明において、特に説明がない場合には、４本の光ファイバ素線１３ａ、１３ｂ、１３ｃ、１３ｄにより構成される例を示すが、本発明はこれに限られず、複数の光ファイバ素線からなる光ファイバテープ心線であれば適用可能である。
【００２３】
隣り合う光ファイバ素線１３ａ、１３ｂ、１３ｃ、１３ｄ同士は、光ファイバ素線１３ａ、１３ｂ、１３ｃ、１３ｄの長手方向に所定の間隔をあけて間欠的に樹脂部材１５により接着される。すなわち、樹脂部材１５は、光ファイバ素線１３ａ、１３ｂ、１３ｃ、１３ｄの外周に設けられ、隣り合う光ファイバ素線１３ａ、１３ｂ、１３ｃ、１３ｄ同士を併設して連結する。
【００２４】
隣り合う光ファイバ素線同士の接合部は、光ファイバテープ心線３の長手方向に対して千鳥状に配置される。すなわち、図２（ａ）に示すように、光ファイバテープ心線３の長手方向に対する光ファイバ素線１３ｂ、１３ｃ間の樹脂部材１５の位置は、隣り合う光ファイバ素線１３ａ、１３ｂ間および光ファイバ素線１３ｃ、１３ｄ間の樹脂部材１５の位置に対して、略半ピッチずれて、同一ピッチで形成される。したがって、光ファイバ素線１３ａ、１３ｂ間の長手方向の樹脂部材１５の位置と、光ファイバ素線１３ｃ、１３ｄ間の長手方向の樹脂部材１５の位置とは幅方向に重なる位置となる。
【００２５】
光ファイバ素線１３ａ、１３ｂ、１３ｃ、１３ｄは、全て同一の色で構成される。例えば、全て、白色や透明色とすることができる。光ファイバ素線１３ａ、１３ｂ、１３ｃ、１３ｄの色を、敷設される場所の壁や天井などの色と同一とすることで、敷設した光ファイバテープ心線が目立ちにくい。なお、樹脂部材１５は、光ファイバ素線１３ａ、１３ｂ、１３ｃ、１３ｄと同一の色とするか、透明色とすればよい。
【００２６】
また、光ファイバ素線１３ａ、１３ｂ、１３ｃ、１３ｄの外径は、０．４５ｍｍ以上であることが望ましい。光ファイバ素線１３ａ、１３ｂ、１３ｃ、１３ｄの外径が細すぎると、視認性および取扱い性が悪くなる。一方、光ファイバ素線１３ａ、１３ｂ、１３ｃ、１３ｄの外径が太くなりすぎると、敷設した際に目立ちやすくなる。このため、光ファイバ素線１３ａ、１３ｂ、１３ｃ、１３ｄの外径は、１．０ｍｍ以下である事が望ましい。
【００２７】
ここで、隣り合うそれぞれの光ファイバ素線１３ａ、１３ｂ、１３ｃ、１３ｄ間の樹脂部材１５の光ファイバテープ心線３の長手方向に対する長さは同じではない。図示した例では、光ファイバ素線１３ａ、１３ｂの間の樹脂部材１５は、ピッチＰ１で長さＬ１であるのに対し、光ファイバ素線１３ｂ、１３ｃの間の樹脂部材１５と、光ファイバ素線１３ｃ、１３ｄの間の樹脂部材１５は、ピッチＰ１で長さＬ２である。すなわち、光ファイバテープ心線３の幅方向（光ファイバ素線１３ａ、１３ｂ、１３ｃ、１３ｄの併設方向）の中心を中心線Ｏとした場合において、それぞれの隣り合う光ファイバ素線同士を接合する樹脂部材１５の態様が、それぞれの光ファイバ素線の間同士で同一ではなく、中心線Ｏの両側で異なる（非対称となる）。
【００２８】
図２（ａ）に示す例では、樹脂部材１５のピッチは、全て同一（Ｐ１）である。一方、光ファイバ素線１３ａ、１３ｂの間の樹脂部材１５の長さＬ１は、光ファイバ素線１３ｂ、１３ｃの間の樹脂部材１５の長さＬ２、および光ファイバ素線１３ｃ、１３ｄの間の樹脂部材１５の長さＬ２よりも長い。このようにすることで、光ファイバテープ心線３において、どの光ファイバ素線が光ファイバ素線１３ａであるか（どの光ファイバ素線が、１番心線であるか）を認識することができる。したがって、光ファイバ素線１３ａを基準として、どの光ファイバ素線が光ファイバ素線１３ｂ、１３ｃ、１３ｄであるか（どの光ファイバ素線が、２番心線、３番心線、４番心線であるか）を認識することができる。
【００２９】
この場合、例えば、Ｌ１＝４０ｍｍとし、Ｌ２＝２０ｍｍとし、Ｐ１＝８０ｍｍとすれば、光ファイバ素線１３ａ、１３ｂの間の樹脂部材１５と、光ファイバ素線１３ｂ、１３ｃの間の樹脂部材１５とが、幅方向で重なる合うことがない。同様に、例えば、Ｌ１＝９０ｍｍとし、Ｌ２＝１０ｍｍとし、Ｐ１＝１２０ｍｍとすれば、光ファイバ素線１３ａ、１３ｂの間の樹脂部材１５と、光ファイバ素線１３ｂ、１３ｃの間の樹脂部材１５とが、幅方向で重なる合うことがない。
【００３０】
また、Ｌ１をＬ２よりも短くしてもよい。例えば、Ｌ１＝１０ｍｍとし、Ｌ２＝２０ｍｍとし、Ｐ１＝６０ｍｍとすれば、光ファイバ素線１３ａ、１３ｂの間の樹脂部材１５と、光ファイバ素線１３ｂ、１３ｃの間の樹脂部材１５とが、幅方向で重なる合うことがない。
【００３１】
なお、図２（ｂ）に示す光ファイバテープ心線３ａのように、樹脂部材１５の長さを全て同一とし（Ｌ１）、ピッチを変えてもよい。また、さらに、長さとピッチの両者を変えてもよい。
【００３２】
例えば、光ファイバ素線１３ａ、１３ｂの間の樹脂部材１５のピッチＰ１を、光ファイバ素線１３ｂ、１３ｃの間の樹脂部材１５のピッチＰ２、および光ファイバ素線１３ｃ、１３ｄの間の樹脂部材１５のピッチＰ２よりも長くしてもよい。このようにしても、光ファイバテープ心線３において、どの光ファイバ素線が光ファイバ素線１３ａであるかを認識することができる。したがって、光ファイバ素線１３ａを基準として、どの光ファイバ素線が光ファイバ素線１３ｂ、１３ｃ、１３ｄであるかを認識することができる
【００３３】
但し、ピッチを変えると、光ファイバ素線１３ａ、１３ｂの間の樹脂部材１５と、光ファイバ素線１３ｂ、１３ｃの間の樹脂部材１５とが、幅方向で重なる部位が生じる。このため、光ファイバ素線同士の動きが阻害される恐れがある。したがって、樹脂部材１５のピッチは全て同一として、長さのみを変えることが望ましい。
【００３４】
なお、前述したように、光ファイバ素線の本数は４本である場合には限られない。例えば、図３に示す光ファイバテープ心線３ｂのように、８本の光ファイバ素線１３ａ、１３ｂ、・・・、１３ｇ、１３ｈからなる場合でも、幅方向の中心線Ｏに対して、両側の樹脂部材１５の態様が異なればよい。
【００３５】
この場合、少なくとも、併設された光ファイバ素線の内、幅方向の一方の端から１本目と２本目（図では、光ファイバ素線１３ａ、１３ｂ）を接合する樹脂部材１５の態様が、他の隣り合う光ファイバ素線同士を接合する樹脂部材１５の態様とは異なることが望ましい。このように、一番端の光ファイバ素線同士の接合部が、他の接合部（例えば、幅方向の他方の端から１本目と２本目）と異なることで、態様が異なる樹脂部材１５を容易に認識することができる。
【００３６】
なお、８心の光ファイバテープ心線３は、光ファイバ素線１３ｄ、１３ｅの間の接合部が分離されて、２本の４心の光ファイバテープ心線として取り扱われる場合がある。この際、光ファイバ素線１３ａ、１３ｂの間の樹脂部材１５の態様が他の部位と異なれば、分離後の４心の光ファイバテープ心線においても、容易にどの光ファイバ素線が光ファイバ素線１３ａ（例えば１番心線）であるかを認識することができる。
【００３７】
一方、分離された他方の４心の光ファイバテープ心線においても、どの光ファイバ素線が光ファイバ素線１３ｅであるかを認識するため、図示したように、光ファイバ素線１３ｅ、１３ｆの間（幅方向の一方の端から５本目と６本目）の樹脂部材１５を他の部位の樹脂部材と異なるようにすればよい。
【００３８】
具体的には、樹脂部材１５のピッチを全て同一とし（Ｐ１）、光ファイバ素線１３ａ、１３ｂの間の樹脂部材１５の長さＬ１とし、光ファイバ素線１３ｅ、１３ｆの間の樹脂部材１５の長さＬ３とし、その他の光ファイバ素線同士の間の樹脂部材１５の長さＬ２とし、これらが異なるようにする。
【００３９】
このようにすることで、光ファイバテープ心線３ｂにおいて、どの光ファイバ素線が光ファイバ素線１３ａであるかを認識することができる。また、４心の光ファイバテープ心線に分離された場合でも、それぞれの光ファイバテープ心線において、どの光ファイバ素線が光ファイバ素線１３ａ、１３ｅであるかを認識することができる。なお、Ｌ１＝Ｌ３でもよいが、Ｌ１とＬ３とが異なれば、分離後においても、どちらの４心の光ファイバテープ心線であるかを把握することもできる。
【００４０】
例えば、Ｌ１＝４０ｍｍとし、Ｌ２＝１０ｍｍとし、Ｌ３＝２０ｍｍとし、Ｐ１＝９０ｍｍとすればよい。また、さらに、光ファイバ素線１３ｄ、１３ｅの間（幅方向の一方の端から４本目と５本目）の樹脂部材の長さを変えることで、２本の４心光ファイバテープ心線に分離する際、分離部を容易に把握することができるとともに、分離も容易である。
【００４１】
なお、上述した例では、平面図において、中心線Ｏの両側で、隣り合う光ファイバ素線同士を接合する樹脂部材１５の態様を変える方法として、樹脂部材１５の長さまたはピッチを変えて、それぞれの光ファイバ素線の間同士で樹脂部材１５の態様が同一でないようにする例を示した。しかし、本発明では、他の方法で樹脂部材１５の態様を変えてもよい。
【００４２】
図４は、光ファイバテープ心線３ｃの長手方向に垂直な断面図である。光ファイバテープ心線３ｃは、樹脂部材１５の長手方向の長さやピッチを変えるのではなく、樹脂部材１５の断面形状を変えたものである。このようにしても、光ファイバテープ心線３ｃの長手方向に垂直な断面において、幅方向の中心線Ｏに対して、両側で樹脂部材１５の態様を異なるようにすることができる。
【００４３】
なお、この場合には、光ファイバテープ心線３ｃは、前述した様に、長手方向に間欠的に樹脂部材１５を設けてもよいが、全長にわたって樹脂部材１５を設けてもよい。
【００４４】
次に、前述した光ファイバテープ心線を用いた光ファイバケーブルについて説明する。図５は、光ファイバケーブル１の長手方向に垂直な断面図である。なお、本実施形態において、光ファイバテープ心線３を用いた例を示すが、他の光ファイバテープ心線３ａ、３ｂ、３ｃを用いてもよい。
【００４５】
光ファイバケーブル１は、主に光ファイバテープ心線３、緩衝層５、被覆層７、テンションメンバ９、引き裂き紐１１等から構成される。光ファイバケーブル１には、複数の光ファイバテープ心線３が収容される。複数の光ファイバテープ心線３の外周には、緩衝層５が設けられる。緩衝層５は、外力等から光ファイバテープ心線３を保護するものである。
【００４６】
緩衝層５の外周には、被覆層７が形成される。被覆層７は、光ファイバケーブル１を被覆して保護するための層である。被覆層７の内部には、テンションメンバ９が設けられる。
【００４７】
テンションメンバ９は、光ファイバケーブル１の張力を負担する。テンションメンバ９は、例えば鋼線や繊維強化プラスチックなどで構成される。また、被覆層７には、必要に応じて引き裂き紐１１が埋設される。
【００４８】
なお、本発明の光ファイバケーブルは、図示した例には限らない。テンションメンバを中心に配置したルースチューブ型ケーブルやスロットタイプの光ファイバにも適用可能である。
【００４９】
次に、光ファイバテープ心線３の敷設方法について説明する。まず、光ファイバケーブル１から、所望の光ファイバテープ心線３を取り出す。取り出された光ファイバテープ心線３を、敷設対象となる場所の壁面、天面または床面のいずれかに敷設する。この際、光ファイバ素線１３ａ、１３ｂ、１３ｃ、１３ｄが、敷設場所である屋内外の壁面、天面または床面の色と同一であれば、光ファイバテープ心線３が目立ちにくい。
【００５０】
また、光ファイバテープ心線３からは、所望の光ファイバ素線が分岐されて、接続対象となる機器に接続される。この際、光ファイバ素線１３ａ、１３ｂ、１３ｃ、１３ｄは、従来のような着色により識別はできないが、樹脂部材１５の態様によって、いずれの光ファイバ素線であるかを容易に識別することができる。以上により、光ファイバテープ心線３を敷設することができる。
【００５１】
以上のように、本実施の形態によれば、光ファイバテープ心線を構成する光ファイバ素線が、全て同一の色であるため、配線時に目立ちにくい光ファイバテープ心線を得ることができる。すなわち、光ファイバテープ心線が、敷設される壁、天面、床などと同一の色とすることができるため、美観を損ねることがない。
【００５２】
また、光ファイバテープ心線を構成する光ファイバ素線同士を接合する樹脂部材１５の態様が、幅方向の中心線Ｏの両側で異なるため、光ファイバ素線を容易に識別することができる。
【００５３】
特に、樹脂部材１５が、光ファイバテープ心線の長手方向に間欠的に設けられ、所定の光ファイバ素線同士を接合する樹脂部材１５の長さを他の部位と変えることで、光ファイバ素線の識別が容易であるとともに、光ファイバテープ心線の曲げが容易となる。
【００５４】
また、併設された光ファイバ素線の、一方の端から１本目と２本目を接合する樹脂部材１５の態様を、他の隣り合う光ファイバ素線同士を接合する樹脂部材１５の態様と異なるようにすることで、光ファイバ素線の識別が容易である。
【００５５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５６】
１………インドアケーブル
３、３ａ、３ｂ、３ｃ………光ファイバテープ心線
５………緩衝層
７………被覆層
９………テンションメンバ
１１………引き裂き紐
１３ａ、１３ｂ、１３ｃ、１３ｄ、１３ｅ、１３ｆ、１３ｇ、１３ｈ………光ファイバ素線
１５………樹脂部材
【図１】
0006440591.tif 000002
【図２】
0006440591.tif 000003
【図３】
0006440591.tif 000004
【図４】
0006440591.tif 000005
【図５】
0006440591.tif 000006